(57)【要約】【課題】特に空気中に拡散される有害化学物質や湿気などを除去することが可能な空気浄化製品を目視可能に試験し、その製品の効力を臨場感をもって視認確認する【解決方法】透明部２ａを介して内部の視認用具７を目視することができる箱体２内に、異なる性能の空気浄化製品１０ａ，１０ｂを内蔵した試験用具１００，１０１をそれぞれ準備すると共に、各試験用具１００，１０１に同一の有害化学物質９の封入を行い、各比較用試験用具１００，１０１内における有害化学物質や湿気などの除去状態の推移を視認用具７の目視により比較確認をする。【選択図】  図１
2004233325.tif 000002
【特許請求の範囲】
【請求項１】
有害化学物質や湿気などの除去作用を有する壁紙や組成物など空気浄化製品の性能を視認するために、
透明部を介して内部の視認用具を目視することができると共に、空気浄化製品の内蔵と有害化学物質の封入を可能とする試験用具を準備し、有害化学物質や湿気などの除去性能の異なる空気浄化製品を内蔵した複数の比較用試験用具を準備し、上記各比較用試験用具内に同一の有害化学物質を封入し、上記各比較用試験用具内における有害化学物質や湿気などの除去状態の推移を目視により比較可能とすることを特徴とする空気浄化製品の販売促進方法。
【請求項２】
透明部を介して内部の視認用具を目視することができると共に、有害化学物質や湿気などの除去作用を有する空気浄化製品の内蔵と有害化学物質の封入を可能とする試験用具と、上記試験用具に有害化学物質を送り込む注入器と、上記試験用具内に注入される有害化学物質とを具備することを特徴とする空気浄化製品の販売促進用セット
【請求項３】
試験用具は、その背面内側にタイマー，時計，湿度計あるいは視力検査表などのような視認用具が添着されると共に、その前面は試験用具の内部状態と上記視認用具を目視可能な透明部とすることを特徴とする請求項２記載の空気浄化製品の販売促進用セット。
【発明の詳細な説明】
【０００１】
【発明の属する技術分野】
この発明は、特に空気中に拡散される有害化学物質や湿気などを除去することが可能な空気浄化製品を目視可能に試験して、その製品の性能を臨場感をもって視認させて販売に寄与することが可能な空気浄化製品の販売促進方法、及び、空気浄化製品の販売促進用セットに関するものである。
【０００２】
【従来の技術】
本願出願人は、湿気の吸放出を良好に行なう調湿性を有すると共に、結露防止やかび発生防止などの性能に優れ、しかも室内の空気中に拡散されている有害化学物質を吸着・分解することが可能な壁紙に関し、既に特許第３３５８０２６号として特許を受けており、製品名「ケイソウくん」（登録商標）として販売を行い好評を得ている。
【０００３】
勿論、このような効果を掲げた製品は、他にも数多く販売されてきている。いずれにせよ、営業員が調湿性，結露防止やかび発生防止などの性能，空気中に拡散されている有害化学物質の吸着・分解性能などを有する製品（以下、空気浄化製品と称する）の性能を顧客にアッピールするには、実験データを表にしたりグラフに表したりして説明をしている。また、実験データを時系列的に写真に撮って並べ、その効果を説明する手法も多く行なわれている。
【０００４】
【発明が解決しようとする課題】
しかしながら、調湿性，空気中に拡散されている有害化学物質の吸着・分解性，悪臭除去など空気浄化度を顧客にアッピールする際に、実験データを表にしたりグラフにしたりあるいは時系列的に写真に撮って並べその効力を説明するという方法は、大変大事な説明方法ではあるが、顧客側は表やグラフや写真を見ながらその説明を聞くだけであるため、よく理解できないことが多いと共に、臨場感に乏しいというきらいがある。
【０００５】
近年は、健康面における関心の高まりからシックハウス対策への関心が高まってきており、このため特に有害化学物質の吸着・分解性能など空気浄化製品における製品毎の性能の違いは、顧客がハッキリと解るように説明をする必要が生じてきている。
【０００６】
この発明は、上記のような事情に鑑みてなされたものであり、その目的とするところは、調湿性，空気中に拡散されている有害化学物質の吸着・分解性，悪臭除去などを行なうことが可能な壁紙や組成物などの空気浄化製品において、その効力を目視可能に試験し、顧客に対して臨場感をもって視認理解をさせることが可能な空気浄化製品の販売促進方法、及び、空気浄化製品の販売促進用セットを提供することにある。
【０００７】
【課題を解決するための手段】
この発明は、上記のような目的を違成するために、空気浄化製品の販売促進方法として、請求項１記載のように、有害化学物質や湿気などの除去作用を有する壁紙や組成物など空気浄化製品の性能を視認するために、透明部を介して内部の視認用具を目視することができると共に、空気浄化製品の内蔵と有害化学物質の封入を可能とする試験用具を準備し、有害化学物質や湿気などの除去性能の異なる空気浄化製品を内蔵した複数の比較用試験用具を準備し、上記各比較用試験用具内に同一の有害化学物質を封入し、上記各比較用試験用具内における有害化学物質や湿気などの除去状態の推移を目視により比較可能とすることを特徴とする。
【０００８】
また、空気浄化製品の販売促進用セットとして、請求項２記載のように、透明部を介して内部の視認用具を目視することができると共に、有害化学物質や湿気などの除去作用を有する空気浄化製品の内蔵と有害化学物質の封入を可能とする試験用具と、上記試験用具に有害化学物質を送り込む注入器と、上記試験用具内に注入される有害化学物質とを具備することを特徴とする。また、請求項３記載のように、試験用具は、その背面内側にタイマー，時計，湿度計あるいは視力検査表などのような視認用具が添着されると共に、その前面は試験用具の内部状態と上記視認用具を目視可能な透明部とすることを特徴とする。
【０００９】
【発明の実施の形態】
以下、この発明の実施例を図面に基づき詳細に説明する。図１は、この発明に係る空気浄化製品の販売促進用セットの説明図であり、図２は、試験用具の正面図である。
【００１０】
図１に示すように、この販売促進用セットは、少なくとも透明部２ａを介して内部を視認することができると共に、空気浄化製品１０（１０ａ，１０ｂ）の内蔵と有害化学物質９の封入を可能とする試験用具１と、この試験用具１に有害化学物質９（９ａ）をガス状として送り込む注入器８と、注入される有害化学物質９とが組み合わされて構成されている。
【００１１】
試験用具１は、上面２ｅを開口部とした箱体２により構成されると共に、その前面２ａ側は透明部として構成され、上面２ｅの開口部は着脱自在に取付けられる蓋体３によりカバーされる。また、箱体２の背面２ｂの内側には視認用具７が取付けられている。この視認用具７は、後述するが箱体２内に充満された好適にはガス状の有害化学物質９の減少状態を目視により確認するためのものであるので、図示したように「ＡＢＣＤＥ」を順次小さく配置した視力検査表でもタイマー・時計や湿度計あるいはその他絵柄でもよく、視認性の確認を行なえるものであれば所望により適宜選択することができる。
【００１２】
箱体２の上面２ｅをカバーする蓋体３は、送気用孔３ａと排気用孔３ｂが開口されており、両孔３ａ，３ｂはそれぞれ孔カバー体４，５で開閉されるように構成されている。また、その他に孔カバー体６で開閉される調整孔３ｃが複数個開設されている。
【００１３】
注入器８は、注射器の作用をなすもので、タバコ９ａの煙のような有色ガス状の有害化学物質を進退部８ｂの動作によりその先端部８ａから器内８ｃに吸引すると共に、その先端部８ａから送気用孔３ａを介して箱体２内に送り込む。試験に供せられる有害化学物質は、この実施例における説明としては、ニコチン並びにホルムアルデヒド，アセトアルデヒドなどの有害化学物質が含まれているタバコ９ａの煙とした（以下、タバコの煙又はホルムアルデヒド，アセトアルデヒドなどの有害化学物質あるいは単に有害化学物質として記載する）。
【００１４】
次に、この実施例の動作について説明する。すなわち、試験用具１は自社の空気浄化製品１０ａを内蔵した自社用試験用具１００（図２参照）と、他社の空気浄化製品１０ｂを内蔵した他社用試験用具１０１（図４（ａ）参照）とに分けたものが準備される。空気浄化製品の内蔵の仕方は様々であるが、壁紙などの場合は、箱体２の上面２ｅより側面２ｃ，２ｃや底面２ｄに敷設するのが好適である。
【００１５】
空気浄化製品の敷設をした後は、箱体２の上面２ｅを蓋体３によりカバーする。このとき、蓋体３の送気用孔３ａと排気用孔３ｂと調整孔３ｃとは、それぞれ孔カバー体４，５，６で閉鎖される。通常は、このような状態で予め比較試験をしようとする自社用試験用具１００と他社用試験用具１０１とが準備されており、また、注入器８や試験に使われる有害化学物質９と共にセット用カバン（図示略）に１組とされて組み込まれている。
【００１６】
次に、火をつけたタバコ９ａを注入器８の先端部８ａに取付け、進退部８ｂの吸引作用によりタバコ９ａの煙を器内８ｃに吸引し、先端部８ａを箱体２の送気用孔３ａに差し込み、進退部８ｂの送り出し作用により吸引したタバコ９ａの煙を箱体２内に送り込む。この注入器８により、タバコ９ａの煙を逆流させずスムーズに箱体２内に送り込むことができる。この際、排気用孔３ｂと調整孔３ｃにより箱体２内の気体量を調整し、箱体２内へタバコ９ａの煙の充填を良好に行なわしめる。
【００１７】
すなわち、箱体２に注入されたタバコ９ａの煙は、箱体２が密封状態におかれると箱体２内で自由に拡散されなくなると共に、空気浄化製品のもつガス吸着力を効果的に発揮させることができなくなるが、調整孔３ｃを有する箱体２とすることにより、調整孔３ｃの開閉操作により箱体２内におけるタバコ９ａの煙の自由な拡散を行なわしめると共に、空気浄化製品におけるガス吸着力を効果的に発揮させるなどの重要な作用を発揮する。
【００１８】
その後、送気用孔３ａと排気用孔３ｂを孔カバー体４，５により閉じる。タバコ９ａの煙が充満される前の試験用具１００，１０１は、例えば図２に示したように、前面２ａの透明部を介して内部を見ると背面２ｂの内側に取付けられた視認用具７は、内部が透明なため完全に目視することができる。一方、タバコ９ａの煙が充満された後の試験用具１００，１０１は、例えば図３に示したように、内部に充満されたタバコ９ａの煙に遮られて視認することができない状態となる。その後、時間の経過と共にタバコ９ａの煙はそれぞれの空気浄化製品１０ａ，１０ｂにより除去され、徐々に箱体２内は透明度を増し、視認用具７の目視状態は向上する。
【００１９】
ここで、除去性能の異なる空気浄化製品１０ａ，１０ｂを内蔵した試験用具１００，１０１は、その効力に差があるために、図４（ａ）と同図（ｂ）に示すように、箱体２の内部の透明度に差が生じる。このように、試験用具における有害化学物質の除去状態の推移を視認用具７を介して目視により比較可能とすることができるので、臨場感をもってをその効力をハッキリ視認することができ、製品販売促進に大いに寄与することができる。
【００２０】
有害化学物質などの除去の時間的な推移を確認するためには、タイマーや時計を視認用具７としても好適であり、また湿度計などを用いてもよい。結露やかびの発生は、湿気の吸放出が良好に行なわれず調湿性の悪い環境下に多く見られるものであり、かびの発生によりその死骸も空気中に浮遊するため、それらの死骸の影響により健康を阻害される指摘がなされている。したがって、壁紙などにおいてその調湿性の試験は大変に有効である。
【００２１】
調湿性の試験は、タバコ９ａの煙のように箱体２内の透明性の目視によって確認することはできない場合があるが、湿度計を視認用具４として用いた場合には、湿度計により湿気の吸放出度合いがハッキリと目視確認することができる。この場合、試験用具に加温や冷却を加えてもよく、また、調湿性を有する空気浄化製品に水分の霧吹きをかけ、箱体２内の湿度を高めるようにしてもより早く湿気の吸放出度合いを目視により知ることができる。
【００２２】
なお、この調湿性の試験としては、苔等の植物でその生育状況を目視によって
比較することも好適な方法である。具体的には、
【０００２】で説明した本願出願人の特許第３３５８０２６号に係る調湿性などを有する壁紙（製品名：ケイソウくん）を内蔵した試験用具１００と普通の塩ビクロスを内蔵した試験用具１０１に、それぞれ全く元気のない苔（図示略）を入れ驚吹きで加湿する。これにより、試験用具１００，１０１内の湿度は９０％近くになり、試験用具１００，１０１内にある苔はすぐに元気な状態になるが、時間の経過とともに試験用具１０１内からは水分が調整孔３ｃを介して蒸発するため、試験用具１０１内の苔は再び元気がなくなっていく。しかし、試験用具１００内の苔はいつまでも元気な状態にある。
【００２３】
このように、明らかな差異状態を目視することにより、
【０００２】に記載した壁紙はそのケイソウが持つ超微細な多孔内に水分が閉じ込められてしっかりといつまでも保湿していることが解り、塩ビクロスの場合には保湿性が全くないのが解る。
【００２４】
さらに、試験用具１内に充填される有害化学物質は、アンモニアなどのように臭いをもつものの消臭比較テストとされてもよい。この場合には、蓋体３の送気用孔３ａ，排気用孔３ｂ，調整孔３ｃなどを介して消臭状態を確認してもよいが、視認用具７は、図５に示したように、箱体２内における悪臭除去度合いによりその色調が変化する視認用具７ａ、図６に示したように、空気浄化製品自体の色調が変化する空気浄化製品、図７に示したように、検知状態により色調が変化するガス検知器２０（２０ａ）などとして目視確認を行なうようにしてもよい。
【００２５】
このように、この実施例によれば、有害化学物質や湿気などの除去作用を有する壁紙や組成物など空気浄化製品の効力を確認するために、透明部を介して内部を目視することができるそれぞれの試験用具に、異なる性能の空気浄化製品を内蔵させると共に、有害化学物質の封入を行い、且つ、この試験用具における内部状態の推移を目視により比較するので、臨場感をもって効力の違いを確認することができると共に、空気浄化製品の販売促進に有効である。また、有害化学物質や湿気の除去状態をテストするには費用と時間がかかるが、この実施例によれば、簡便且つ低コストに比較テストを行なうことができる。
【００２６】
また、試験用具と注入器や試験に使われる有害化学物質あるいはタイマー，時計，湿度計などの視認用具が１組とされてセット用カバンに組み込まれていれば、販売促進に大変便利である。なお、図示したものは１実施例であり、本願で説明した作用と同等のものであれば適宜設計変更が可能である。
【００２７】
【発明の効果】
以上説明したように、この発明によれば、空気浄化製品における性能効果を視認用具を介して目視可能に試験し、顧客に対して臨場感をもってその性能効果を視認理解させることができるので、営業員においてはきわめて容易にその性能効力を顧客に示すことができ、また、顧客においてはきわめて容易に性能効力を知ることができ、有効な空気浄化製品の販売促進方法、及び、空気浄化製品の促進用セットを提供することができる。
そして、有害化学物質や湿気などの除去状態の比較テストを従来に比して著しく簡便、且つ、低コストに行なうことができる。
【図面の簡単な説明】
【図１】この発明に係る空気浄化製品の販売促進用セットを示す説明図である。
【図２】有害化学物質充填前の試験用具の視認１例を示す説明図である。
【図３】有害化学物質充填時の試験用具の視認１例を示す説明図である。
【図４】異なる空気浄化製品を内蔵した試験用具の視認１例を示す比較説明図である。
【図５】箱体内の空気浄化度により色調の変化する視認用具を用いた場合の対比説明図である。
【図６】箱体内の空気浄化度により色調の変化する空気浄化製品を用いた場合の対比説明図である。
【図７】箱体内の空気浄化度により色調の変化するガス検知器を用いた場合の対比説明図である。
【符号の説明】
１        試験用具
２        箱体
２ａ      前面透明部
２ｅ      上面開口部
３        蓋体
７        視認用具
８        注入器
９，９ａ  有害化学物質（タバコ）
【図１】
2004233325.tif 000003
【図２】
2004233325.tif 000004
【図３】
2004233325.tif 000005
【図４】
2004233325.tif 000006
【図５】
2004233325.tif 000007
【図６】
2004233325.tif 000008
【図７】
2004233325.tif 000009